(57)【要約】【課題】回収された廃プラスチックシートの束を搬送しながら確実に平面状に広げることのできる処理機構を提案すること。【解決手段】廃プラスチックシートの処理機構２０では、巻き取り束２７の状態から引き出された廃プラスチックシート２３の表面中央部分に沿ってノズル３６から水を流すことにより水流３７を形成し、廃プラスチックシート２３の中央部分をガイドベース２２の上面２２ａに押し付けた状態で搬送する。この結果、廃プラスチックシート２３は、水流３７によってセンタリングされながら左ベルトコンベアー３１、右ベルトコンベアー３２によって搬送されるので、これらのベルトコンベアー３１、３２によって確実に左右に平面状に押し広げられる。【選択図】図１
2012192602.tif 000002
【特許請求の範囲】
【請求項１】
回収された長尺状の廃プラスチックシートの巻き取り束（２７）から当該廃プラスチックシート（２３）を引き出して搬送路に沿って搬送し、
搬送される前記廃プラスチックシート（２３）の上面（２３ａ）における前記搬送路の幅方向の中央部分に、当該廃プラスチックシート（２３）の搬送方向に流れる液体流（３７）を形成し、
前記液体流（３７）を中心として前記搬送路の下流側および幅方向の両側に向かう方向に傾斜している軌道を含む無限軌道に沿って移動する一対の送り歯付き無端ベルト（３５）を用いて、前記液体流（３７）が形成された状態の廃プラスチックシート（２３）を、前記液体流（３７）を中心として前記搬送路の幅方向の両側に平面状に押し広げながら搬送することを特徴とする廃プラスチックシートの処理方法。
【請求項２】
回収された長尺状の廃プラスチックシートの巻き取り束（１１）から当該廃プラスチックシート（１０）を引き出して搬送路に沿って搬送し、
搬送される前記廃プラスチックシート（１０）の上面（１０ａ）における前記搬送路の幅方向の中央部分に、当該廃プラスチックシート（１０）の搬送方向に流れる液体流（１５）を形成し、
前記液体流（１５）が形成された状態の廃プラスチックシート（１０）を、外周面に螺旋状の送り歯（５ａ、５ｂ、６ａ、６ｂ）が形成されている搬送ローラー（５、６）を用いて前記搬送路の幅方向の両側に平面状に押し広げながら搬送することを特徴とする廃プラスチックシートの処理方法。
【請求項３】
請求項１または２において、
前記巻き取り束を回転自在なターンテーブル（９、２６）に載せ、当該巻き取り束の中心側から巻き取り状態の廃プラスチックシート（１０、２３）を引き出し、
前記ターンテーブル（９、２６）の回転によって、引き出される廃プラスチックシートの捩れを解消しながら当該廃プラスチックシートを前記搬送路に引き渡すことを特徴とする廃プラスチックシートの処理方法。
【請求項４】
請求項３において、
前記液体流（１５、３７）を中心として平面状に押し広げられた前記廃プラスチックシート（１０、２３）の両面をブラッシング洗浄することを特徴とする廃プラスチックシートの処理方法。
【請求項５】
請求項４において、
ブラッシング洗浄後の廃プラスチックシートを所定のサイズに裁断し、
得られた廃プラスチックシートの裁断片を洗浄槽内に投入して攪拌することにより、裁断片に付着している異物を洗い落とし、
洗浄後の裁断片に付着している洗浄水を振り落とす水切りを行い、
水切り後の裁断片を乾燥し、
乾燥後の裁断片を溶解してペレット状の再原料にすることを特徴とする廃プラスチックシートの処理方法。
【請求項６】
請求項１の廃プラスチックシートの処理方法によって廃プラスチックシートを押し広げながら搬送する廃プラスチックシートの処理機構（２０）であって、
長尺状の廃プラスチックシート（２３）を搬送する搬送路と、
前記搬送路に沿って搬送される廃プラスチックシート（２３）の上面（２３ａ）における前記搬送路の幅方向の中央部分に液体を供給して、当該上面の中央部分に前記搬送方向の下流側から上流側に向かって流れる液体流（３７）を形成する液体供給部（３６）と、
前記搬送路の幅方向において左右対称の状態に配置され、それぞれ送り歯付き無端ベルト（３５）が備わっている左ベルトコンベアー（３１）および右ベルトコンベアー（３２）とを有しており、
前記搬送路は、その搬送方向の上流側から下流側に向けて上方に傾斜しており、
前記送り歯付き無端ベルト（３５）のそれぞれにおける前記搬送路に沿って搬送される前記廃プラスチックシート（２３）に接する軌道は、前記液体流（３７）を中心として前記搬送路の下流側および幅方向の両側に向かう方向に傾斜していることを特徴とする廃プラスチックシートの処理機構（２０）。
【請求項７】
請求項２の廃プラスチックシートの処理方法によって廃プラスチックシートを押し広げながら搬送する廃プラスチックシートの処理機構（１）であって、
長尺状の廃プラスチックシート（１０）を搬送する搬送路と、
前記搬送路の一方の側に配置した第１搬送ローラー（５）と、
前記搬送路における前記第１搬送ローラー（５）よりも搬送方向の下流側の位置において当該搬送路を挟み前記第１搬送ローラー（５）とは反対の側に配置した第２搬送ローラー（６）と、
前記第１搬送ローラー（５）を経由して搬送される廃プラスチックシート（１０）の上面（１０ａ）における前記搬送路の幅方向の中央部分に液体を供給して、当該上面の中央部分に前記搬送方向の下流側から上流側に向かって流れる液体流（１５）を形成する液体供給部（１４）とを有しており、
前記搬送路は、その搬送方向の上流側から下流側に向けて上方に傾斜しており、
前記第１搬送ローラー（５）および前記第２搬送ローラー（６）の外周面には、それぞれ、それらの長さ方向において左右対称の状態で一対の螺旋状の送り歯（５ａ、５ｂ、６ａ、６ｂ）が形成されていることを特徴とする廃プラスチックシートの処理機構（１）。
【請求項８】
請求項６または７において、
廃プラスチックシートの巻き取り束（１１、２７）を載せる回転自在なターンテーブル（９、２６）を有し、
前記巻き取り束の中心側から巻き取り状態の廃プラスチックシートが引き出されて前記搬送路に引き渡されるようになっており、
前記ターンテーブルの回転によって、前記巻き取り束の中心側から引き出される廃プラスチックシートの捩れが解消されることを特徴とする廃プラスチックシートの処理機構（１、２０）。
【発明の詳細な説明】
【技術分野】
【０００１】
本発明は、束になった状態で回収された長尺状の廃プラスチックシート、例えばビニール製、ポリエチレン製などの使用済みの農業用マルチシートを再資源化するために、廃プラスチックシートを巻き取り状態から引き出して平面状に押し広げる処理を効率良く行うことのできる廃プラスチックシートの処理方法および処理機構に関する。
【背景技術】
【０００２】
使用済みの農業用マルチシートはロール状に巻き付けられた巻き取り束の状態で回収される。回収された農業用マルチシートを再原料化するためには、そこに付着あるいは混入している泥、その他の異物を分離除去する必要がある。回収された農業用マルチシートの巻き取り束からは、丸まった状態、皺の付いた状態あるいは折り重なった状態で農業用マルチシートが引き出される。このような状態の農業用マルチシートに付着あるいは混入している泥、その他の異物を除去するためには、農業用マルチシートを平面状に押し広げてブラッシング洗浄などを行う必要がある。
【０００３】
農業用マルチシートを平面状となるように搬送しながら左右に押し広げる機構としては、特許文献１において、螺旋状の送り歯が外周面に形成されているローラーを用いるものが提案されている。ここに開示の機構では、円形外周面に螺旋状の送り歯が形成されている送りローラー対を左右に配置し、左側の送りローラー対では、送り方向の回転に伴って、これらの間を搬送されるマルチシートを左側の端に向けて広げながら送り出すように、螺旋状の送り歯が形成されている。右側の送りローラー対では、逆に右側の端に向けて広げながら送り出すように、螺旋状の送り歯が形成されている。これら左右の送りローラー対の上方に巻取り棒が配置されており、農業用マルチシートは、これら左右の送りローラー対の間を通ることにより左右に広げながら送り出されて巻取り棒に巻き取られるようになっている。
【先行技術文献】
【特許文献】
【０００４】
【特許文献１】特開２００９−１２６０９９号公報
【発明の概要】
【発明が解決しようとする課題】
【０００５】
しかしながら、螺旋状の送り歯を備えたローラーを用いて、使用済みの農業用マルチシートなどの長尺状の廃プラスチックシートを束になった状態から引き出して搬送する機構においては、廃プラスチックシートが搬送方向に直交する方向（搬送路の幅方向、ローラーの幅方向）に片寄ってしまい、平面状に広げられた状態で搬送路に沿って送り出すことができないという問題点がある。
【０００６】
すなわち、巻き取り束の状態から引き出された廃プラスチックシートは厚さに片寄りがあり、左右のローラー対のうちの一方の側において強く押し付けられた片当りの状態で送り出される。この結果、引き出された廃プラスチックシートは一方の側に徐々に片寄ってしまい、搬送路の幅方向の中心に、押し広げられた廃プラスチックシートの幅方向の中心が一致した状態にはならない。引き出された廃プラスチックシートが一方の側に片寄ると、平面状に十分に押し広げられずに洗浄工程に移ってしまうので付着異物、混入異物を確実に除去することができない。また、廃プラスチックシートが大きく片寄ると、搬送路を規定している側方の部材に当り、その部分で廃プラスチックシートが詰まり、搬送不能な状態に陥ることもある。
【０００７】
このために、従来においては束の状態から引き出された廃プラスチックシートを平面状に押し広げる作業を手作業に頼らざるを得ず、このために、廃プラスチックシートの洗浄、裁断工程を含む再資源化のための処理を自動機によって効率良く行うことができなかった。
【０００８】
本発明の課題は、この点に鑑みて、束の状態で回収された廃プラスチックシートを引き出して平面状に押し広げながら搬送する処理を人手に頼ることなく確実に行うことのできる廃プラスチックシートの処理方法および処理機構を提案することにある。
【課題を解決するための手段】
【０００９】
上記の課題を解決するために、本発明の廃プラスチックシートの処理方法は、
回収された長尺状の廃プラスチックシートの巻き取り束から当該廃プラスチックシートを引き出して搬送路に沿って搬送し、
搬送される前記廃プラスチックシートの上面における前記搬送路の幅方向の中央部分に、当該廃プラスチックシートの搬送方向に流れる液体流を形成し、
前記液体流を中心として前記搬送路の下流側および幅方向の両側に向かう方向に傾斜している軌道を含む無限軌道に沿って移動する一対の送り歯付き無端ベルトを用いて、前記液体流が形成された状態の廃プラスチックシートを、前記液体流を中心として前記搬送路の幅方向の両側に平面状に押し広げながら搬送することを特徴としている。
【００１０】
本発明では、巻き取り状態から引き出された廃プラスチックシートの上面中央部分に沿って水などの液体を流すことにより液体流を形成し、この状態で、送り歯を備えた無端ベルトを用いて廃プラスチックシートを左右に押し広げて平面状にしながら搬送している。引き出された廃プラスチックシートの上面における搬送路幅方向の中央部分に適切な流量の液体流を形成すると、当該液体流によって廃プラスチックシートのセンター位置が搬送路幅方向の中心に保持される。また、液体流を中心として、廃プラスチックシートが左右一対の送り歯付き無端ベルトによって左右に押し広げられながら搬送される。この結果、廃プラスチックシートが搬送路の幅方向に片寄ってしまうことを防止しながら、廃プラスチックシートを平面状に押し広げることができる。
【００１１】
このようにして確実に平面状に押し広げられた状態で廃プラスチックシートを搬送することができるので、この後に、当該廃プラスチックシートの両面をブラッシング洗浄することによって、これらの面から確実に異物を除去することができる。
【００１２】
一対の送り歯付き無端ベルトを用いる代わりに、外周面に螺旋状の送り歯が形成されている搬送ローラーを用いて搬送路の幅方向に押し広げながら搬送することも可能である。
【００１３】
ここで、巻き取り状態の廃プラスチックシートは、その巻き取り中心側から引き出して搬送路に受け渡すことができる。この場合、巻き取り状態から引き出される廃プラスチックシートの捩れを取るために、回転自在な状態で支持されているターンテーブルに廃プラスチックシートの巻き取り束を載せておけば、ターンテーブルの回転によって引き出される廃プラスチックシートの捩れを解消することができる。この結果、送り歯付き無端ベルトあるいは螺旋状の送り歯付き搬送ローラーによって、搬送される廃プラスチックシートを確実に幅方向の両側に押し広げることができる。
【００１４】
また、本発明の方法は農業用マルチシートを再資源化するための処理方法に用いることができる。この場合には、搬送ローラーを経由して押し広げられた状態で搬送される廃プラスチックシートの両面をブラッシング洗浄した後に、当該ブラッシング洗浄後の廃プラスチックシートを所定のサイズに裁断し、得られた廃プラスチックシートの裁断片を洗浄槽内に投入して攪拌することにより、裁断片に付着している異物を洗い落とし、洗浄後の裁断片に付着している洗浄水を振り落とす水切りを行い、水切り後の裁断片を乾燥し、乾燥後の裁断片を溶解してペレット状の再原料にすればよい。
【００１５】
次に、本発明は、送り歯付き無端ベルトが備わっている一対のベルトコンベアーを用いて廃プラスチックシートを押し広げながら搬送する廃プラスチックシートの処理機構であって、
長尺状の廃プラスチックシートを搬送する搬送路と、
前記搬送路に沿って搬送される廃プラスチックシートの上面における前記搬送路の幅方向の中央部分に液体を供給して、当該上面の中央部分に前記搬送方向の下流側から上流側に向かって流れる液体流を形成する液体供給部と、
前記搬送路の幅方向において左右対称の状態に配置され、それぞれ送り歯付き無端ベルトが備わっている左ベルトコンベアーおよび右ベルトコンベアーとを有しており、
前記搬送路は、その搬送方向の上流側から下流側に向けて上方に傾斜しており、
前記送り歯付き無端ベルトのそれぞれにおける前記搬送路に沿って搬送される前記廃プラスチックシートに接する軌道は、前記液体流を中心として前記搬送路の下流側および幅方向の両側に向かう方向に傾斜していることを特徴としている。
【００１６】
また、本発明は、螺旋状の送り歯を備えた搬送ローラーを用いて廃プラスチックシートを押し広げながら搬送する廃プラスチックシートの処理機構であって、
長尺状の廃プラスチックシートを搬送する搬送路と、
前記搬送路の一方の側に配置した第１搬送ローラーと、
前記搬送路における前記第１搬送ローラーよりも搬送方向の下流側の位置において当該搬送路を挟み前記第１搬送ローラーとは反対の側に配置した第２搬送ローラーと、
前記第１搬送ローラーを経由して搬送される廃プラスチックシートの上面における前記搬送路の幅方向の中央部分に液体を供給して、当該上面の中央部分に前記搬送方向の下流側から上流側に向かって流れる液体流を形成する液体供給部とを有しており、
前記搬送路は、その搬送方向の上流側から下流側に向けて上方に傾斜しており、
前記第１搬送ローラーおよび前記第２搬送ローラーの外周面には、それぞれ、それらの長さ方向において左右対称の状態で一対の螺旋状の送り歯が形成されていることを特徴としている。
【図面の簡単な説明】
【００１７】
【図１】本発明を適用した実施の形態１の廃プラスチックシートの処理機構を示す概略平面図および概略側面図である。
【図２】本発明を適用した実施の形態２の廃プラスチックシートの処理機構を示す概略構成図である。
【図３】図２の処理機構の概略平面図および概略断面図である。
【発明を実施するための形態】
【００１８】
以下に、図面を参照して本発明を適用した廃プラスチックシートの処理機構および処理方法の実施の形態を説明する。
【００１９】
（実施の形態１）
図１を参照して説明すると、実施の形態１に係る廃プラスチックシートの処理機構２０は不図示の機構フレーム２１を備えており、この機構フレーム２１には平板状のガイドベース２２が取り付けられており、このガイドベース２２の平坦な上面２２ａによって廃プラスチックシート２３の搬送路が規定されている。ガイドベース２２は幅方向においては水平に配置され、前後方向においては後端が上側の位置となるように傾斜配置されている。
【００２０】
ガイドベース２２の前端よりも搬送方向の上流側の位置には上流側ガイドローラー２４が配置されており、ガイドベース２２の後端よりも搬送方向の下流側の位置には下流側ガイドローラー２５が配置されている。上流側ガイドローラー２４よりも搬送方向の上流側の位置にはターンテーブル２６が水平に配置されており、ターンテーブル２６は垂直軸線２６ａを中心としていずれの方向にも回転自在である。ターンテーブル２６の上面には、ロール状に巻き取られた状態の廃プラスチックシート２３、例えば使用済みの農業用マルチシートの巻き取り束２７が設置される（以下の説明では、廃プラスチックシートを農業用マルチシートとして説明する。）。
【００２１】
ターンテーブル２６に設置した巻き取り束２７の中心側から引き出された農業用マルチシート２３は、上流側ガイドローラー２４を介して上方に引き出され、ガイドベース２２の上面２２ａに沿って搬送され、下流側ガイドローラー２５を介して下方に搬送されて、次段のブラシ洗浄部（図示せず）に引き渡される。巻き取り束２７から農業用マルチシート２３を引き出す際には、ターンテーブル２６が回転することで、引き出される農業用マルチシート２３の巻き付き、捩れが除去されながら当該農業用マルチシート２３が引き出される。
【００２２】
ここで、ガイドベース２２の裏面側には左ベルトコンベアー３１および右ベルトコンベアー３２が配置されている。左ベルトコンベアー３１は、下流側駆動ローラー３３と上流側従動ローラー３４の間に架け渡した送り歯付き無端ベルト３５を備えている。送り歯付き無端ベルト３５は、一定幅のベルト本体３５ａと、ベルト本体３５ａの外側表面においてベルト送り方向に沿って一定のピッチで取り付けた送り歯３５ｂとを備えている。本例の送り歯３５ｂはベルト送り方向に一直線状に配列された円弧状の突起から形成されている。送り歯３５ｂとしては図示の形状以外のものを用いることも可能である。右ベルトコンベアー３２も同様に構成されているので図１においては対応する部位に同一の符号を付してある。
【００２３】
左右一対の送り歯付き無端ベルト３５は、搬送路幅方向の中心線Ｌを中心として、搬送方向の上流側から下流側に向かって、搬送路幅方向の両側に広がる方向に左右対称な状態で傾斜している。また、各送り歯付き無端ベルト３５の幅方向の両側の端部分は、搬送される農業用マルチシート２３を左右に平面状に広げた場合の幅方向の両側縁よりも外方まで延びている。また、ガイドベース２２には、送り歯付き無端ベルト３５の無限軌道におけるガイドベース２２に対峙するベルト部分が、上面２２ａから上方に露出するように、左右一対の細長い一定幅の長方形の開口部２２ｂが形成されている。これらの開口部２２ｂを介して、送り歯付き無端ベルト３５の上側の軌道部分に位置するベルト部分が僅かにガイドベース２２の上方に突出していると共に、当該ベルト部分に配列されている送り歯３５ｂが上方に突出している。
【００２４】
次に、ガイドベース２２の下流側の後端部の上方には、液体供給用のノズル、例えば水供給用のノズル３６が配置されている。不図示の水供給源から供給される水はノズル３６から、ガイドベース２２の上面２２ａに沿って搬送される農業用マルチシート２３の表面（上面）２３ａに供給される。ノズル３６は搬送路幅方向の中央に配置されており、搬送方向の下流側から上流側に向かって水を吹き出す。本例では下に向けて垂直に水を吹き出す。なお、水の代わりに洗浄液などを流すことにより農業用マルチシート２３の表面２３ａの中央部分に液体流を形成してもよい。
【００２５】
ノズル３６から水を吹き出しながら農業用マルチシート２３を搬送すると、農業用マルチシート２３の表面２３ａに沿って、その幅方向の中央部分を搬送方向の下流側から上流側に向けて流れる水流３７が形成される。この結果、農業用マルチシート２３の中央部分は長さ方向に沿って水流３７によってガイドベース２２の上面２２ａに押し付けられる。この結果、農業用マルチシート２３の幅方向の中央部分が搬送路幅方向の中央に位置決めされた状態で搬送される。
【００２６】
このようにして、農業用マルチシート２３が搬送路の中心にセンタリングされた状態で搬送されるので、左ベルトコンベアー３１、右ベルトコンベアー３２は、農業用マルチシート２３をその幅方向の中央を中心として左右に押し広げながら搬送することができる。よって、巻き取り束の状態から固まった状態で引き出された農業用マルチシート２３が搬送途中で搬送路の幅方向に片寄ってしまうことがなく、確実に平面状に押し広げられる。
【００２７】
平面状に押し広げられた後に農業用マルチシート２３は下流側ガイドローラーを介して、洗浄などの後工程の処理部に送り込まれる。例えば、農業用マルチシート２３の再資源化の処理においては、予備洗浄工程、シート裁断工程、本洗浄工程、水切り工程、乾燥工程、および造粒工程が順次に施される。予備洗浄工程では、巻き取られた農業用マルチシートを水平に押し広げながら搬送し、搬送される農業用マルチシートの表面および裏面に洗浄水を吹き付けながらブラッシング洗浄を行い、土、野菜屑などの残留異物を洗い落とす。
【００２８】
裁断工程では、予備洗浄後の農業用マルチシートを二軸破砕機などを用いて裁断する。次の本洗浄工程では、例えば、裁断した農業用マルチシートを洗浄槽内に投入し、攪拌しながら洗浄して、シルトなどの細かな土、その他の細かな残留異物を確実に洗い落とす。この後の水切り工程では、農業用マルチシートを振動コンベヤ等を用いて振動を加えながら搬送することにより洗浄水を振り落とす。この後に乾燥工程を行い、しかる後に、造粒工程において乾燥後の裁断片を溶解してペレット状の再原料にする。
【００２９】
なお、上記の例は本発明を農業用マルチシートの処理に適用したものであるが、本発明は束になった状態で回収される農業用マルチシート以外の長尺状の廃プラスチックシートの処理にも同様に適用可能である。
【００３０】
（実施の形態２）
図２および図３を参照して、実施の形態２に係る廃プラスチックシートの処理機構を説明する。実施の形態２の処理機構１は機構フレーム２を備えており、この機構フレーム２は、左右の端に平行に配置した左垂直枠板３および右垂直枠板４を備えている。これら左垂直枠板３、右垂直枠板４の間には、これらの前側から後側に向けて表面側搬送ローラー５、裏面側搬送ローラー６および巻き取りローラー７がこの順序で平行に架け渡されている。表面側搬送ローラー５の手前側にはガイドローラー８が配置されており、この手前には、ターンテーブル９が配置されており、ここに、巻き取られた状態で回収された廃プラスチックシートの束（ロール）が設置される。例えば、使用済みの農業用マルチシート１０の束１１が設置される。
【００３１】
ターンテーブル９に設置した束１１から引き出された農業用マルチシート１０は、ガイドローラー８に上側から架け渡され、表面側搬送ローラー５に下側から架け渡され、裏面側搬送ローラー６に上側から架け渡された後に、巻き取りローラー７に至る搬送路に沿って搬送されて平面状に押し広げられた状態で巻き取りローラー７に巻き取られる。束１１から農業用マルチシート１０を引き出す際には、ターンテーブル９が回転することで、引き出される農業用マルチシート１０の巻き付きが除去されながら当該農業用マルチシートが引き出される。また、ガイドローラー８に対して表面側搬送ローラー５は同一高さ位置あるいは高い位置に配置されており、裏面側搬送ローラー６は表面側搬送ローラー５と同一高さ位置あるいは高い位置に配置されている。
【００３２】
本例では、裏面側搬送ローラー６は表面側搬送ローラー５よりも高い位置に配置されており、これらの間においては、農業用マルチシート１０が搬送方向の下流側（裏面側搬送ローラー６の側）から上流側（表面側搬送ローラー５の側）に向けて下方に傾斜した状態に架け渡される。
【００３３】
表面側搬送ローラー５の円形外周面には、その長さ方向において左右対称の状態で一対の螺旋状の送り歯５ａ、５ｂが形成されている。例えば、一定の径の鉄筋あるいは針金（番線）を、一定のピッチでローラー外周面における長さ方向の中央位置から左右のローラー端に向けて逆向きに螺旋状に巻き付けて溶接などによって固定してある。表面側搬送ローラー５の一対の螺旋状の送り歯５ａ、５ｂに農業用マルチシート１０を押し付け、この状態で表面側搬送ローラー５を搬送方向に回転すると、農業用マルチシート１０の幅方向の左側の部分は左側の送り歯５ａによってローラー左端側に向けて押し広げられながら搬送され、農業用マルチシート１０の右側の部分は右側の送り歯５ｂによってローラー右端側に向けて押し広げられながら搬送される。
【００３４】
裏面側搬送ローラー６の円形外周面にも、同様に、その長さ方向において左右対称の状態で一対の螺旋状の送り歯６ａ、６ｂが形成されている。裏面側搬送ローラー６は、農業用マルチシート１０の裏面側に押し付けられた状態で当該農業用マルチシート１０を搬送するので、左右の送り歯６ａ、６ｂの巻き方向が表面側搬送ローラー５の左右の送り歯５ａ、５ｂとは逆になっている。裏面側搬送ローラー６を回転すると、農業用マルチシート１０の幅方向の左側の部分は左側の送り歯６ａによってローラー左端側に向けて押し広げられながら搬送され、農業用マルチシート１０の右側の部分は右側の送り歯６ｂによってローラー右端側に向けて押し広げられながら搬送される。
【００３５】
なお、表面側搬送ローラー５および裏面側搬送ローラー６は例えば歯車列１２を介して逆方向に同期回転するようになっている。これらの回転駆動源としては、巻き取りローラー７の駆動モーター１３を用いることもできるが、別個の駆動モーターを用いることも可能である。また、表面側搬送ローラー５あるいは裏面側搬送ローラー６を、螺旋状の送り歯を備えた一対のローラーから構成し、これらの間に農業用マルチシートを挟みながら搬送することもできる。また、裏面側搬送ローラー６を搬送方向の上流側に配置し、表面側搬送ローラー５を搬送方向の下流側に配置することも可能である。
【００３６】
次に、表面側搬送ローラー５と裏面側搬送ローラー６の間における上方に傾斜した搬送経路部分に沿って搬送される農業用マルチシート１０の上方には、液体供給用のノズル、例えば水供給用のノズル１４が配置されている。不図示の水供給源から供給される水はノズル１４から、表面側搬送ローラー５および裏面側搬送ローラー６の間に傾斜状態に架け渡される農業用マルチシート１０の表面（上面）１０ａに供給される。ノズル１４は搬送路幅方向の中央（表面搬送用ローラー５および裏面搬送用ローラー６の長さ方向の中央）に配置されており、搬送方向の下流側から上流側に向かって斜め下方に水を吹き出すようになっている。なお、水の代わりに洗浄液などを流すことにより農業用マルチシート１０の表面１０ａの中央部分に液体流を形成してもよい。
【００３７】
ノズル１４から水を吹き出しながら農業用マルチシート１０を搬送すると、農業用マルチシート１０の表面１０ａに沿って、その幅方向の中央部分を搬送方向の下流側から上流側に向けて流れる水流１５が形成される。この結果、農業用マルチシート１０の中央部分は長さ方向に沿って水流１５の重さによって下方に撓んだ状態になり、農業用マルチシート１０の幅方向の中央部分が搬送経路の幅方向の中央に位置決めされた状態で搬送される。
【００３８】
このようにして、農業用マルチシート１０が搬送経路の中心にセンタリングされた状態で搬送されるので、表面側搬送ローラー５および裏面側搬送ローラー６においては、農業用マルチシート１０をその幅方向の中央を中心として左右に押し広げながら搬送する。よって、束の状態から固まった状態で引き出された農業用マルチシート１０は、搬送途中で搬送経路の幅方向に片寄ってしまうことがなく、螺旋状の送り歯が付いている双方のローラー５、６によって確実に平面状に押し広げられる。
【００３９】
平面状に押し広げられた後に農業用マルチシート１０は巻き取りローラー７に巻き取られる。巻き取りローラー７に巻き取られた農業用マルチシート１０は、巻き取りローラー７から取り出された後に洗浄などの処理が施される。例えば、農業用マルチシート１０の再資源化の処理においては、予備洗浄工程、シート裁断工程、本洗浄工程、水切り工程、乾燥工程、および造粒工程が順次に施される。予備洗浄工程では、巻き取られた農業用マルチシートを水平に押し広げながら搬送し、搬送される農業用マルチシートの表面および裏面に洗浄水を吹き付けながらブラッシング洗浄を行い、土、野菜屑などの残留異物を洗い落とす。
【００４０】
裁断工程では、予備洗浄後の農業用マルチシートを二軸破砕機などを用いて裁断する。次の本洗浄工程では、例えば、裁断した農業用マルチシートを洗浄槽内に投入し、攪拌しながら洗浄して、シルトなどの細かな土、その他の細かな残留異物を確実に洗い落とす。この後の水切り工程では、農業用マルチシートを振動コンベヤ等を用いて振動を加えながら搬送することにより洗浄水を振り落とす。この後に乾燥工程を行い、しかる後に、造粒工程において乾燥後の裁断片を溶解してペレット状の再原料にする。
【００４１】
なお、上記の例は本発明を農業用マルチシートの処理に適用したものであるが、本発明は束になった状態で回収される農業用マルチシート以外の長尺状の廃プラスチックシートの処理にも同様に適用可能である。
【符号の説明】
【００４２】
１    廃プラスチックシートの処理機構
２    機構フレーム
３    左垂直枠板
４    右垂直枠板
５    表面側搬送ローラー
５ａ、５ｂ  螺旋状の送り歯
６    裏面側搬送ローラー
６ａ、６ｂ  螺旋状の送り歯
７    巻き取りローラー
８    ガイドローラー
９    ターンテーブル
１０  農業用マルチシート
１０ａ  表面
１１  束
１２  歯車列
１３  駆動モーター
１４  ノズル
１５  水流
２０  廃プラスチックシートの処理機構
２１  機構フレーム
２２  ガイドベース
２２ａ  上面
２３  廃プラスチックシート（農業用マルチシート）
２３ａ  表面
２４  上流側ガイドローラー
２５  下流側ガイドローラー
２６  ターンテーブル
２７  廃プラスチックシートの巻き取り束
３１  左ベルトコンベアー
３２  右ベルトコンベアー
３３  下流側駆動ローラー
３４  上流側従動ローラー
３５  送り歯付き無端ベルト
３５ａ  ベルト本体
３５ｂ  送り歯
３６  ノズル
３７  水流
Ｌ    搬送路幅方向の中心線
【図１】
2012192602.tif 000003
【図２】
2012192602.tif 000004
【図３】
2012192602.tif 000005